(57)【要約】      （修正有）【課題】地震や津波等のエリア情報ブロードキャスト方法およびエリア情報ブロードキャストシステムを提供する。【解決手段】ホームeNodeB管理システム１２０が、エリア情報を受信するステップと、エリア情報のために少なくとも１つの目標ホームeNodeB１５０を選定するステップと、エリア情報を少なくとも１つの目標ホームeNodeBに送信するステップ及び少なくとも１つの目標ホームeNodeBがエリア情報をブロードキャスティングするステップとを含む。【選択図】図２
2015122722.tif 000002
【特許請求の範囲】
【請求項１】
ホームeNodeB管理システムがエリア情報を受信するステップと、
前記ホームeNodeB管理システムが前記エリア情報のために少なくとも１つの目標ホームeNodeBを選定するステップと、
前記ホームeNodeB管理システムが前記エリア情報を前記少なくとも１つの目標ホームeNodeBに送信するステップと、
前記少なくとも１つの目標ホームeNodeBが前記エリア情報をブロードキャスティングするステップと、を含むことを特徴とするエリア情報ブロードキャスト方法。
【請求項２】
前記少なくとも１つの目標ホームeNodeBは、前記エリア情報を受信した後に、当該少なくとも１つの目標ホームeNodeBのサービス範囲内に位置する全ての待機中のモバイル装置に対してページングすることを特徴とする請求項１に記載のエリア情報ブロードキャスト方法。
【請求項３】
前記エリア情報は、災害情報を含むことを特徴とする請求項１に記載のエリア情報ブロードキャスト方法。
【請求項４】
前記エリア情報は、前記ホームeNodeB管理システムが受け付けたユーザー入力に基づいて生成されることを特徴とする請求項１に記載のエリア情報ブロードキャスト方法。
【請求項５】
ホームeNodeBから送信された前記エリア情報が目標モバイル装置に受信された後に、該目標モバイル装置は、当該ホームeNodeBに対して確認情報を返信することを特徴とする請求項１に記載のエリア情報ブロードキャスト方法。
【請求項６】
前記ホームeNodeB管理システムは、前記エリア情報におけるセル識別コード、追跡エリア識別コードまたは緊急エリア識別コードを解析することにより、前記少なくとも１つの目標ホームeNodeBを選定することを特徴とする請求項１に記載のエリア情報ブロードキャスト方法。
【請求項７】
前記ホームeNodeB管理システムから前記少なくとも１つの目標ホームeNodeBに送信される前記エリア情報には、災害タイプ情報と、散布エリア情報と、主要通知情報と、文字情報とが含まれることを特徴とする請求項１に記載のエリア情報ブロードキャスト方法。
【請求項８】
エリア情報を受信するホームeNodeB管理システムと、前記ホームeNodeB管理システムにカップリング接続する少なくとも１つのホームeNodeBとを含み、
前記ホームeNodeB管理システムは、前記エリア情報を受信した後に、該エリア情報のために少なくとも１つの目標ホームeNodeBを選定すると共に、選定した該少なくとも１つの目標ホームeNodeBに該エリア情報を送信し、
前記少なくとも１つの目標ホームeNodeBは、前記エリア情報をブロードキャスティングすることを特徴とするエリア情報ブロードキャストシステム。
【請求項９】
前記少なくとも１つの目標ホームeNodeBは、前記エリア情報を受信した後に、当該少なくとも１つの目標ホームeNodeBのサービス範囲内に位置する全ての待機中のモバイル装置に対してページングすることを特徴とする請求項８に記載のエリア情報ブロードキャストシステム。
【請求項１０】
前記エリア情報は、災害情報を含むことを特徴とする請求項８に記載のエリア情報ブロードキャストシステム。
【発明の詳細な説明】
【技術分野】
【０００１】
本発明は、エリア情報ブロードキャスト方法およびエリア情報ブロードキャストシステムに関する。
【背景技術】
【０００２】
突然の災害、例えば地震や津波等は、人々の日常生活において人命、財産、公共施設等に莫大な損失を与えてしまう。
【０００３】
地震や津波のような災害は、突発的、且つ局地的に発生する。災害情報を速やかに災害エリア内の人に通知する好適な方法としては、できる限り現存設備をそのまま用いて、災害情報（メッセージ）を災害発生エリアに配信するエリア情報ブロードキャスト方法が挙げられる。
【先行技術文献】
【特許文献】
【０００４】
【特許文献１】ＵＳ  ２０１１／０２３７２１８  Ａ１  米国公開公報（２０１１年９月２９日公開）
【発明の概要】
【発明が解決しようとする課題】
【０００５】
上記のように、突然の災害は、人々の日常生活において人命、財産、公共施設等に莫大な損失を与えてしまう虞がある。
【課題を解決するための手段】
【０００６】
上記の課題を解決するために、本発明は、ホームeNodeB管理システム（Home eNodeB Management System;HeMS）を用いてエリア情報（location-based message）を送信するエリア情報ブロードキャスト方法およびシステムに関するものである。
【０００７】
また、本発明の一実施例が提供するエリア情報ブロードキャスト方法は、ホームeNodeB管理システムがエリア情報（location-based message）を受信するステップと、前記ホームeNodeB管理システムが前記エリア情報のために少なくとも１つの目標ホームeNodeBを選定するステップと、前記ホームeNodeB管理システムが前記エリア情報を前記少なくとも１つの目標ホームeNodeBに送信するステップと、前記少なくとも１つの目標ホームeNodeBが前記エリア情報をブロードキャスティングするステップと、を含む構成である。
【０００８】
また、本発明の他の実施例が提供するエリア情報ブロードキャストシステムは、エリア情報を受信するホームeNodeB管理システムと、前記ホームeNodeB管理システムにカップリング接続する少なくとも１つのホームeNodeBとを含み、前記ホームeNodeB管理システムは、前記エリア情報を受信した後に、該エリア情報のために少なくとも１つの目標ホームeNodeBを選定すると共に、選定した該少なくとも１つの目標ホームeNodeBに該エリア情報を送信し、前記少なくとも１つの目標ホームeNodeBは、前記エリア情報をブロードキャスティングする構成である。
【発明の効果】
【０００９】
本発明のエリア情報ブロードキャストシステムは、目標セルが指定されたエリア情報に基づき、エリア情報を受信すべきエリアを正確に指定することができ、目標エリアの実際の地理的位置が連続または隣接していなくても、必要に応じて目標エリアを選別することができるという効果を奏する。
【００１０】
さらに、本発明は、ホームeNodeBがホームeNodeB管理システムに管理されているため、１つのインターフェースを介してエリア情報ブロードキャストサービスを提供することができる、という効果を奏する。
【図面の簡単な説明】
【００１１】
【図１】本発明の一実施例に係るエリア情報ブロードキャストシステムの機能ブロック図である。
【図２】本発明の一実施例に係るエリア情報ブロードキャストのフローチャートである。
【発明を実施するための形態】
【００１２】
以下は、本発明の上記構成および他の実施形態をより良く理解するために、下記の実施例を挙げ、図面に基づいて詳しく説明する。
【００１３】
なお、本明細書における技術用語は当該分野で慣用される用語を参照したものであるが、明細書において一部の用語について説明や定義をしている場合には、該一部の用語の解釈は、明細書による説明や定義を基準にする。例えば、本明細書における「カップリング接続」のような表現は、直接に、間接に、有線的および／または無線的に接続する意味を含む。本発明の各実施例は、それぞれ１つまたは複数の技術的特徴を有する。また、実施可能という前提において、当業者はいずれかの実施例の一部またはすべての技術的特徴を選択して実施できる。或いは、実施例の一部またはすべての技術的特徴を選択して組み合せることができる。
【００１４】
図１は、本発明の実施例に係るエリア情報ブロードキャストシステム（location-based message broadcast system）を示す機能ブロック図である。図１に示すように、エリア情報ブロードキャストシステム１００は、進化型パケットコア（evolved packet core；EPC）１１０と、ホームeNodeB（Home eNodeB；HeNB）１５０とを含む。進化型パケットコア１１０は、ホームeNodeB管理システム（HeMS）１２０と、ホームeNodeBゲートウェイ（HeNB Gateway；HeNB GW）１３０と、セキュリティゲートウェイ（security gateway；SeGW）１４０とを含む。ホームeNodeB管理システム１２０は、ホームeNodeBゲートウェイ１３０にカップリング接続している。ホームeNodeB１５０はフェムトセル（Femtocell）であってもよい。また、ホームeNodeBゲートウェイ１３０はフェムトセル  ゲートウェイ（Femtocell gateway）であってもよい。ホームeNodeB１５０は、進化型パケットコア１１０にカップリング接続している。
【００１５】
ホームeNodeB１５０は、複数のモバイル装置１６０と信号や情報等の交信ができると共に、そのカバー範囲内のモバイル装置１６０に対してページング（paging）することができる。モバイル装置１６０は、エリア情報ブロードキャストシステム１００がブロードキャスティングしたエリア情報を、受信および表示することができる。
【００１６】
図１には１つのホームeNodeB１５０しか示していないが、勿論、本発明はこれに限定されるものではない。実際には、本発明の実施例は、複数のホームeNodeB１５０を含んでもよい。また、同様な原則で、ホームeNodeBゲートウェイ１３０およびセキュリティゲートウェイ１４０の機能および動作も、特に限定されるものではない。
【００１７】
なお、本発明の実施例において、エリア情報が災害情報（例えば地震、津波等）である場合、該エリア情報は、災害の発生が検知されたときに地方政府または国家中央政府からホームeNodeB管理システム１２０に提供された情報である場合がある。例えば、災害監視機構（例えば中央政府の気象局等）で検知された災害情報がセルブロードキャストエンティティ（Cell Broadcast Entity；CBE）に受信された後、セルブロードキャストエンティティ（CBE）は、当該エリア情報（災害情報）をセルブロードキャストセンター（Cell Broadcast Center；CBC）に送信する。そして、セルブロードキャストセンター（CBC）は、該災害情報（エリア情報）をホームeNodeB管理システム１２０に送信する。
【００１８】
ホームeNodeB管理システム１２０は、エリア情報（例えば災害情報）を受信すると、該エリア情報（例えば災害情報）をホームeNodeBゲートウェイ１３０およびセキュリティゲートウェイ１４０へ送信する。そして、セキュリティゲートウェイ１４０は、該エリア情報を、目標エリア内に位置するホームeNodeB１５０に送信する。なお、本発明の図１では、ホームeNodeBゲートウェイ１３０およびセキュリティゲートウェイ１４０は、それぞれ独立した装置として示されているが、実際には、本発明の精神を超えない範囲で、ホームeNodeBゲートウェイ１３０およびセキュリティゲートウェイ１４０を同一装置内に設けることも可能である。
【００１９】
ホームeNodeB１５０は、そのカバー範囲内のすべてのモバイル装置１６０に前記エリア情報（例えば災害情報）を送信する。なお、たとえ待機（standby）状態のモバイル装置１６０に対しても送信する。
【００２０】
図２は、本発明の一実施例に係るエリア情報ブロードキャスト方法のフローチャートである。なお、便宜上、図２にはホームeNodeBゲートウェイ１３０およびセキュリティゲートウェイ１４０を示さず、ホームeNodeB管理システム１２０、ホームeNodeB１５０およびモバイル装置１６０を示している。ただし、本発明の実施例においてホームeNodeBゲートウェイ１３０およびセキュリティゲートウェイ１４０が行う動作（例えば、ホームeNodeB管理システム１２０から送信されたエリア情報をホームeNodeB１５０へ中継する）は、当業者であれば、本発明の図１および上述した内容に基づいて知り得る。したがって、原則として、ホームeNodeBゲートウェイ１３０およびセキュリティゲートウェイ１４０の細部構成は、特に説明しないものとする。
【００２１】
エリア情報がホームeNodeB管理システム１２０にて受信されると、ホームeNodeB管理システム１２０は、該エリア情報のために、少なくとも１つの目標ホームeNodeB１５０を選定する。例えば、ホームeNodeB管理システム１２０は、該エリア情報に含まれたセル識別コード（cell ID）、追跡エリア識別コード（TA(tracking area) ID）または緊急エリア識別コード（EA(Emergency area) ID）を解析することで、該エリア情報をブロードキャスティングすべきエリアを識別する。ところで、エリア情報を散布可能なエリアは、例えば、セルレベルの散布エリア（cell level distribution area）と、追跡エリアレベルの散布エリア（TA level distribution area）と、緊急エリアレベルの散布エリア（EA level distribution area）との３タイプとして定義できる。エリア情報にセル識別コードのリストが含まれる場合、該エリア情報は、セル識別コードのリストにより指定されたホームeNodeBに散布される。また、エリア情報に追跡エリア識別コードのリストが含まれる場合、該エリア情報は、TA識別コードのリストにより指定されたすべてのホームeNodeB（１つのTAは複数のホームeNodeBを含んでもよい）に散布される。なお、各ホームeNodeBには、１つの緊急エリア識別コード（１つのEAは複数のTAを含んでも良い）が指定されていても良い。エリア情報に緊急エリア識別コードのリストが含まれる場合、該エリア情報は、緊急エリア識別コードに対応しているホームeNodeBに散布される。
【００２２】
ホームeNodeB管理システム１２０は、前記エリア情報のために少なくとも１つの目標ホームeNodeB１５０を選定した後、該エリア情報を当該目標ホームeNodeB１５０に送信する。例えば、ホームeNodeB管理システム１２０は、災害タイプ情報（disaster type information）と、散布エリア情報（message distribution area information）と、主要通知情報（primary notification information）と、文字情報（message text）とを含む設定パラメータ情報を、目標ホームeNodeB１５０に送信してもよい。また、ホームeNodeB１５０は、現在でブロードキャスティング中のエリア情報と、新たに受信したエリア情報とに含まれる災害タイプ情報が同一である場合には、新たに受信したエリア情報を破棄してもよい。逆に、ホームeNodeB１５０は、現在でブロードキャスティング中のエリア情報と、新たに受信したエリア情報とに含まれる災害タイプ情報が異なる場合には、新たに受信したエリア情報を、現在でブロードキャスティング中のエリア情報と置き換えると共に速やかに送信する。
【００２３】
また、エリア情報に主要通知情報が含まれる場合、ホームeNodeB１５０は、該主要通知情報を、主要通知情報をブロードキャスティングするための無線チャンネルにマッピングする。また、ホームeNodeB１５０は、エリア情報に文字情報が含まれているか否かを特定することにより、副次的通知（secondary notification）情報をブロードキャスティングすべきか否かについて決定してもよい。そして、該副次的通知情報を、副次的通知情報をブロードキャスティングするための無線チャンネルにマッピングしてもよい。
【００２４】
ホームeNodeB１５０においてエリア情報が受信されると、ホームeNodeB１５０は送信相手を確認する（すなわち、目標モバイル装置を確認する）。なお、送信相手を確認しないようにしてもよい。例えば、ホームeNodeB１５０は、エリア情報をブロードキャスティングすると共に、すべてのモバイル装置が起き上がってエリア情報を受信できるように、待機中のすべてのモバイル装置に対してページングしてもよい。なお、ページングは、ブロードキャスト方式、または１対１の方式に限定されない。ホームeNodeB１５０は、エリア情報を送信し始める際に、地震・津波警報システム情報指示（Earthquake and Tsunami Warning System message indication；ETWS message indication）を含むページング情報を、モバイル装置１６０に送信してもよい。そして、モバイル装置１６０は、接続状態（例えば通話状態）または待機状態に関係なく、該ページング情報を受信しようとする。なお、ホームeNodeB１５０がモバイル装置に対してページングすると、待機状態のモバイル装置は呼び起されることになる。
【００２５】
モバイル装置１６０は、ETWS情報指示を含むページング情報を受信した後に、エリア情報を受信し始める。なお、エリア情報がモバイル装置に受信されることを確報するように、ホームeNodeB１５０が繰り返してエリア情報をブロードキャスティングしてもよい。これにより、ホームeNodeB１５０は、そのサービス範囲内のすべてのモバイル装置がエリア情報を受信したことを確認できる。
【００２６】
エリア情報がモバイル装置１６０に受信されると、モバイル装置１６０は確認情報（acknowledgement）をホームeNodeB１５０に返信してもよい。
【００２７】
本発明の実施例は、災害情報が検出されたときに、該災害情報を速やかに目標エリア内のすべてのモバイル装置、たとえ待機（standby）状態のモバイル装置に対しても送信できる。
【００２８】
また、本発明の実施例は、災害情報をできる限り速やかに散布するように、当該エリア情報を最高レベルの優先順位で送信する。また、目標エリア内の人々がすぐにエリア情報を把握できるように、エリア情報の内容はできる限り簡潔であることが望ましい。例えば、目標エリアにおいて受信されるエリア情報は、「地震、津波が発生しました。速やかに避難してください。」のように表示させてもよく、強度、震源中心位置などを更に表示させてもよい。
【００２９】
また、本発明の実施例は、エリア情報がモバイル装置１６０に受信されると、モバイル装置１６０が、ユーザーがエリア情報の内容を把握できるように、アラーム音を発生させると共に、エリア情報の内容に基づく文字を表示してもよい。
【００３０】
また、本発明の実施例に係るエリア情報ブロードキャストシステム１００は、災害情報の受信に加え、地方政府から発信した緊急情報をモバイル装置１６０に送信してもよい。勿論、地方政府から発信した緊急情報は、ホームeNodeB管理システム１２０に一旦送信され、その後、本発明の実施例のように目標エリア内のモバイル装置１６０に送信される。
【００３１】
本発明の実施例は、ネットワーク管理者が、出入力インターフェース（例えばキーボード、マウス、タッチパネル等）を介してエリア情報をホームeNodeB管理システム１２０に入力する場合もある。例えば、エリア内に道路の土砂崩れ等が発生した場合は、ネットワーク管理者が警報文字をホームeNodeB管理システム１２０に入力し、ホームeNodeB管理システム１２０が上記実施例のように、該警報文字を含んだエリア情報を目標ホームeNodeB１５０に送信してもよい。そして、道路の土砂崩れが発生したエリア内にユーザーが進入した際、目標ホームeNodeB１５０からブロードキャスティングしている該道路の土砂崩れ情報をユーザーのモバイル装置が受信するため、ユーザーは把握および判断しやすくなる。
【００３２】
本発明の上記実施例において、モバイル装置が受信するエリア情報は、強制的な情報であってもよい。すなわち、ユーザーがエリア情報を受信しないことを選択できず、受信されなければならない構成としてもよい。
【００３３】
上記のように、本発明の実施例によれば、本発明の実施例に係るエリア情報ブロードキャストシステムは、目標セルが指定されたエリア情報に基づき、エリア情報を受信すべきエリアを正確に指定することができる。また、目標セルを指定できるため、エリア情報が示す目標エリアは必ずしも連続でなくてもよい。すなわち、本発明の実施例によれば、目標エリアの実際の地理的位置が連続または隣接していなくても、必要に応じて目標エリアを選別することができる。
【００３４】
さらに、ホームeNodeB１５０がホームeNodeB管理システム１２０に管理されるため、１つのインターフェース（ホームeNodeB管理システム１２０とホームeNodeBゲートウェイ１３０との間のインターフェース）を介してエリア情報ブロードキャストのサービスを提供することができる。
【００３５】
本発明は、上述した各実施例により開示されたが、これらの実施例に限定されるものではなく、当業者が本発明の精神および範囲内で種々の変更を行うことができる。したがって、本発明の保護範囲は、特許請求の範囲で規定されるものを基準とするものである。
【産業上の利用可能性】
【００３６】
本発明は、エリア情報ブロードキャスト方法およびエリア情報ブロードキャストシステムに利用することができる。
【図１】
2015122722.tif 000003
【図２】
2015122722.tif 000004